(57)【要約】【課題】  顔の美容法に関しては、さまざまな方法が行われているが、スキンケアーが中心であり、あくまでも現状維持や一時的な回復を期待するものであり、本質的な肌の改善にはなりえないものであった。【解決手段】３０℃以上で炭酸ガス濃度が５００ｐｐｍ以上の高濃度炭酸温水に好ましくは１０分以上顔を浸けることにより、皮下の毛細血管の血流が良くなり肌の新陳代謝が活発になる。そして、毎日続けることで皮下の毛細血管が肌に向かって発達すると考えられ、恒久的な肌の改善につながる。この高濃度炭酸温水による顔浴を手軽に行えるように、口で呼吸ができるお面形状の容器を装着し、その容器と顔の間に高濃度炭酸温水を溜め、顔の表皮が高濃度炭酸温水に直接触れた状態を１０分以上保て、ほぼ前を向いた状態でも使用できる方法と器具を提案するものである。【選択図】図１
2009213849.tif 000002
【特許請求の範囲】
【請求項１】
液体を収容できる装着容器を顔に付け、該装着容器に溶存炭酸ガス濃度が５００ｐｐｍ以上で湯温が３０℃以上の炭酸温水を収容し、少なくとも３分以上炭酸温水を顔に接触させることを特徴とする炭酸温水による顔の美容方法
【請求項２】
前記装着容器内部に口にくわえられる形状であると共に装着容器外部に連通する穴をもつ呼吸管を有し、その呼吸管を通じて呼吸をしながら長時間炭酸温水に顔を接触させた状態を保つことを特徴とする請求項１に記載の美容方法
【請求項３】
前記炭酸温水が、前記装着容器あるいは別の容器に３０℃以上の温水を入れ、該温水に炭酸水素ナトリウムと共にクエン酸、アスコルビン酸、リンゴ酸、フマル酸、コハク酸等の少なくとも１つを投入して生成した炭酸温水であることを特徴とする請求項１および２に記載の美容方法
【請求項４】
前記炭酸温水が、３０℃以上の温水に炭酸ガスを吸収させることにより生成した炭酸温水であることを特徴とする請求項１および２に記載の美容方法
【請求項５】
前記装着容器に３０℃以上の温水を入れ、該温水に炭酸水素ナトリウムを入れ、炭酸水素ナトリウムが溶解した温水に顔を少なくとも３分以上浸した後に、その後、該装着容器の温水を捨てて、新に前記炭酸温水を入れ、再びその炭酸温水に顔を少なくとも３分以上浸すことを特徴とする請求項１から４記載の美容方法
【請求項６】
前記装着容器に３０℃以上の温水を入れ、該温水に炭酸水素ナトリウムを入れ、炭酸水素ナトリウムが溶解した温水に顔を少なくとも３分以上顔を浸し、その炭酸水素ナトリウムが溶解した温水に、さらにクエン酸、アスコルビン酸、リンゴ酸、フマル酸、コハク酸等の少なくとも１つを投入して炭酸温水を生成し、その炭酸温水に再び顔を少なくとも３分以上浸すことを特徴とする請求項１および２記載の美容方法
【請求項７】
前記炭酸温水に、アスコルビルリン酸マグネシウム、アスコルビルリン酸ナトリウム、アスコルビン酸−２−リン酸−６−パルチミン酸等のビタミンＣ誘導体や、アスパラギン酸ナトリウム、アラニン、アラントイン、アルギニン、イソロイシン、イノシン酸２Ｎａグアニル酸２Ｎａグリシン、グルタミン酸、セリン、タウリン、チロシン、トレオニン、バリン、ヒスチジンＨＣＬ、フェニルアラニン、プロリン、リシンＨＣＬ、ロイシン等のアミノ酸類やセイヨウオオバコ種子エキス、ヒメフウロエキス等の少なくても１つを添加することを特徴とする請求項１から７記載の美容方法
【請求項８】
顔の表面の形状に似た形状のマスク状の容器または中が中空で卵の殻を半分に切断したような形状で、かつ、その切断面外周が楕円形状の容器を有し、該容器の外周に容器内に液体を保持する為の板状のパッキンを有し、該パッキンには顔を押し入れることができる開口部を中央部に有し、該パッキンの額と接触する部分の上部に空気を排出できる開口部を有し、前記容器の少なくとも１箇所に容器外部に連通した管を有し、その管と前記容器の接続部は、液体が漏れないように液密に接合されており、その管の前記容器との接合部の反対側の端部は、口でくわえて息ができるように、水泳などで使用するスノーケルのマウスピースと同様の形状を有し、前記容器に炭酸温水を任意の位置まで入れたときに、その管の口でくわえる部分が温水表面よりも高い位置にあり、その管が水面に対しておおよそ直角方向に伸縮あるいはスライド自在であることを特徴とする炭酸温水美容器具
【発明の詳細な説明】
【技術分野】
【０００１】  本発明は、温度が３０℃以上で炭酸ガスの含有濃度が５００ｐｐｍ以上になるようにした炭酸温水を顔に長時間接触させることによる顔の美容技術に関するものである。【０００２】  また、本発明は、高濃度の炭酸温水にアミノ酸やビタミンＣ誘導体などの美容液を溶解させた温水に顔表面を長時間接触させることによる顔の美容技術に関する物である。【０００３】  さらに、本発明は、炭酸温水に顔を浸けるまえに、炭酸水素ナトリウムを５００ｐｐｍ以上有する弱アルカリ性の温水に顔を浸けて、顔の皮膚にある角質部分をふやけさせて、この皮膚に着いたアルカリ性の温水を拭き取ると同時に、角質などの古い細胞を除去し、その後、炭酸温水を顔に長時間接触させて、炭酸ガスの皮膚吸収による毛細血管の拡張作用に伴う皮膚の新陳代謝を促進させる新しい顔の美容技術に関するものである。【０００４】  そして、炭酸温水を顔表面に接触させる際、桶などに入れた炭酸温水に顔を浸けるのではなく、ほぼ正面を向いた状態でき、さらに室内でも浴室でも行えるようにした顔の美容技術に関するものである。
【背景技術】
【０００５】  従来から、顔の美容に関しては、さまざまな方法が提案されてきた。たとえば、オイルによる顔のマーサージにより血行を良くすると共に栄養分を刷り込む方法である。【０００６】  あるいは、パックなどのように時間をかけて栄養や水分を肌からしみこませる方法がある。また、超音波やスチームなどにより毛穴を広げて毛穴の汚れを取り除く方法などもある。【０００７】  また、蒸しタオル美容法などのように、顔を保温することにより、やはり血行促進と水分補給を促す方法がある。
【発明が解決しようとする課題】
【０００８】  しかし、これらの方法は一時的に血行を良くしたり、栄養や水分を補給することは出来るが、本質的な肌の改善になっているかどうかは疑問が残る。すなわち、摩擦や刺激により良くなった血行は、刺激がなくなるとすぐに元に戻り、外から刷り込んだ栄養分や水分は肌に留まることはなく効果はすぐに消えてしまう。
【０００９】  本質的に肌の改善を行う為には、体が持つ本来の機能である新陳代謝を促進させることが大切である。言い換えると本質的に血行を良くし、さらには毛細血管自体を肌に向かって発達させることが大切である。
【００１０】  肌の老化は皮膚に向かって伸びている毛細血管の現象であり、この毛細血管から運ばれてくる水分の保持力減少と栄養分の不足である。毛細血管を顔の皮膚表面に向かって発育させて、皮下の血流を増加させることにより、皮下に溜まった老廃物の除去と水分や栄養素、酸素の供給を、若い時のようにスムーズに行わせる、お肌の本質的な改善効果を期待するものである。
【課題を解決するための手段】
【００１１】  人は酸素を吸い炭酸ガスを吐き出しているが、これは吸った酸素が血液により細胞に運ばれて消費され、代わりに炭酸ガスを毛細血管を介して細胞から引き取って呼気により体外に排出している。
【００１２】  炭酸ガスが高濃度で溶解した炭酸温水に肌を浸すと、炭酸ガスが皮膚から吸収され、吸収された炭酸ガスは毛細血管に入り、そして炭酸ガスが毛細血管内に増えると、体は炭酸ガスを早く排出しようとして、毛細血管を流れる血液量を増やすという報告がある。
【００１３】  この毛細血管の血行促進により、肌への酸素・水分・栄養の補給が増加され、同時に皮下に溜まった老廃物の回収効率が向上して、肌本来の機能である新陳代謝が促進される。炭酸温水で肌を浸すのを止めるとすぐに血流量は元に戻るが、この炭酸温水浴を続けることにより、次第に毛細血管自体が皮膚に向かって発達すると報告されている。
【００１４】  本発明は、この炭酸温水浴を顔に対して応用するものである。方法としては桶などに入れた炭酸温水に顔を温水に浸す方法があるが、息ができないのでスノーケルのような呼吸補助具が必要なことと、前に屈む姿勢になるため長時間行うのは辛いという問題があった。
【００１５】  本発明においては、炭酸温水を収納できるマスク容器を顔に装着し、顔表面に炭酸温水が長時間接触する構造とした。そして、口で息ができるように、口でくわえる連通管がマスク容器の外に連通しており、顔全体をマスク容器でお面のように覆い、顔を桶の炭酸温水に浸けるのではなく、ほぼ前を向いた姿勢で炭酸温水が漏れないようにマスク容器から、薄い膜状のシリコン製のパッキンを顔に接触させて長時間顔を温水に浸けていることが可能となった。
【００１６】  ここで、炭酸温水が肌と接触している間だけ接触している部分の肌直下の毛細血管の血流が良くなるが、炭酸温水との接触をやめたとたん血流は元に戻る為、少なくとも３分以上望ましくは１０分間連続的に炭酸温水に肌が接触していることが重要である。本発明の方法であれば、顔を炭酸温水に浸けたまま口で呼吸をすることが可能であり、長時間続けることが可能である。
【００１７】  また、高濃度炭酸温水による美容法は毎日続けることが大切である為、手軽にできるように、器具自体をごく簡単なものとし、マスク容器にお湯をいれて、そのお湯に専用の粉末を入れて炭酸温水を作り、マスクを手で支えて顔に装着して、頬杖をつくようにしてマスク容器を支えるだけで顔の炭酸温浴ができる物である。
【００１８】  さらに、本発明による器具と方法で顔の炭酸温浴を行えば、マスク容器内の炭酸温水が外にこぼれないため、リビングや寝室で行うことができるし、お風呂で入浴しながら行うこともでき、準備や後片付けが簡単で、しかも場所を選ばないため、毎日続けることが可能である。
【００１９】  また、炭酸温水生成装置などで、お風呂を炭酸温水にしている場合は、そのお湯をきれいなうちに別容器に取って、蓋をしてお風呂に浮かばせておけば、入浴時あるいは入浴後に、その炭酸温水をマスク容器に入れて使用することもできる。
【発明を実施するための最良の形態】
【００２０】  図１は本発明における美容器具を装着した状態を側面から見た図で、一部を断面として示している。マスク容器１には外周に板状のパッキン６がマスク容器１の淵１０を抱え込むように装着されている。これにより、マスク容器１内の炭酸温水が漏れないようになっている。
ここで、接着剤でマスク容器１とパッキン６を液密に接着したり、外側から金属板内臓の軟質樹脂のコの字型飾り帯（図示せず）などでパッキン６を外側から挟み込んでお湯の漏れを防いでも良い。【００２１】  マスク容器１を両手で支えて顔に押し付けることにより、パッキン６は接顔部２７のように顔の額から顔の両側を通り顎の下まで全ての位置において顔に密着して、内部の炭酸温水を顔とマスク容器１の間に閉じ込めるようになっている。そのまま、頬杖をつくようにしてマスク容器１を顔と手の間に挟みこむようにすれば、１０分程度は楽にマスクを顔に密着させておくことができる。【００２２】  ここで、３はマウスピースであり、接合部２４で液蜜にマスク容器１と接合されており、チューブのように内部に穴が連通している。したがって、他端を口でくわえることにより、マスク容器１を装着したまま、マスク容器１の外部から空気を吸ったり、外部に息を吐いたりできる。【００２３】  図２に示すように、マスク容器１に装着されているパッキン６の上部には、穴２が設けられており、後に説明するがマスク容器１を顔に装着する際に、マスク容器１内の空気がこの穴２からマスク容器１の外部に逃げるようになっている。【００２４】  また、マウスピース３はシリコンゴムなどの弾性部材でできており、接合部２４において、図に示すようにマスク容器１を挟み込むように接合されており、接合部２４から内部の炭酸温水が外部に漏れることはない。【００２５】  さらにマウスピース３は折り返し部４で折り返されているため、顔をマスク容器１に装着する際、口でくわえた他端が押されたり引っ張られたりしても、マウスピース３はマスク容器１の接合部２４の面にほぼ直角方向に移動でき、口の位置にマウスピース３が追従できる。【００２６】  図３はマスク容器１の鳥瞰図を示す。マスク容器１の淵を覆うようにパッキン６が液蜜に装着されており、パッキン６の１箇所に空気抜き用の穴２が設けられている。【００２７】  また、マスク容器１には図３に示すような突起部５が複数設けられていて、マスク容器１をテーブルなどの平らな面に置いたときに、マスク容器１が水平を保てるようになされている。
もちろん、突起部５がなくてもマスク容器１が水平が保てる形状であれば、突起部５はなくても良い。【００２８】  図４はマウスピース３の詳細を示す。マウスピース３の口でくわえる側の端部７は広がった面を持ち、この面が歯と唇の間に挟まり口の力を抜いても簡単に外れないようになっている。さらに端部７には２つの突起部８が設けられており、突起部８を歯で噛んだときに、上下の歯の間に隙間ができ、呼吸がしやすくなるようにされている。マウスピース３の中心には連通管９が設けられており、他端は外部に連通している。【００２９】  次に図５および図６を用いて、使用方法を説明する。まず、図５に示すように、マスク容器１に温水１３を入れる。その際、入れるお湯の量は、顔にマスク容器１を装着した際にパッキン６に設けられている穴２から内部の温水が出ない程度の量とする。そのとき、入れたお湯がパッキン６の端部１５からこぼれたり、マウスピース３の端部７が水没することはない。【００３０】  次に、そのお湯にあらかじめ適量が分包されている薬剤Ａを入れる。このとき、薬剤Ａは炭酸水素ナトリウムであるが、メタ珪酸塩や水酸化カルシウム、等が含まれていても良い。次に、図６に示すように、薬剤Ａを溶かした重炭酸ナトリウム温水１４にあらかじめ適量が分包された薬剤Ｂを入れる。このとき、薬剤Ｂは、クエン酸、アスコルビン酸、リンゴ酸、フマル酸、コハク酸等の少なくとも１つ又は複数を組み合わせた薬剤である。【００３１】  さらに、薬剤Ｂには、アスコルビルリン酸マグネシウム、アスコルビルリン酸ナトリウム、アスコルビン酸−２−リン酸−６−パルチミン酸等のビタミンＣ誘導体や、アスパラギン酸ナトリウム、アラニン、アラントイン、アルギニン、イソロイシン、イノシン酸２Ｎａグアニル酸２Ｎａグリシン、グルタミン酸、セリン、タウリン、チロシン、トレオニン、バリン、ヒスチジンＨＣＬ、フェニルアラニン、プロリン、リシンＨＣＬ、ロイシン等のアミノ酸類やセイヨウオオバコ種子エキス、ヒメフウロエキス等の少なくても１つがさらに混合されていても良い。【００３２】  また、温水に薬剤Ｂを入れてから薬剤Ａを入れても良いし、薬剤ＡとＢを同時に入れても良い。さらに、別の容器にお湯を入れて、その中に薬剤Ａと薬剤Ｂを入れ、そのお湯をマスク容器１に移し変えても良い。【００３３】  このように、薬剤Ａと薬剤Ｂをお湯に溶かすことにより、炭酸ガスが発生して炭酸ガスがお湯に溶けて高濃度の炭酸温水が出来上がる。マウスピース３の端部７を口でくわえ、マスク容器１に装着されているパッキン６の端部１５を顎の下に押し当てて、そのまま、徐々にマスク容器１を顔に装着してゆくと、パッキン６の開口部１１は端部１５近傍から徐々に開口部の上部に向かって顔に液蜜に接触してゆき、マスク容器内の空気が額に近い上部から抜けて行く。【００３４】  最終的に図１に示すように顔に完全にパッキン６の開口部が密着すると、内部の空気はパッキン６に設けられた穴２から排出され、マスク容器１と顔の間はほとんど炭酸温水で満たされる。
この状態で少なくとも３分以上、望ましくは１０分以上炭酸温水を顔に接触させた状態を保つ。【００３５】  図７は、マスク容器１を手で支えることなく、マスク容器１を顔に装着させる方法を示す。
マスク容器１の突起部５が、支え具１６に設けられた穴（図示せず）に入り、マスク容器が支え具からずれないようになされている。支え具１６は支点１２を中心に回動でき、支え棒１８をフレーム１７の穴２０に挿しているときはマスク容器１がある程度立った状態になり、支え棒１８をフレーム１７の穴２１に挿すと、マスク容器１はほぼ水平になる。ここで、支え棒１８も支点１９を中心にして回動できる。【００３６】  したがって、マスク容器１を水平に保った状態、すなわち支え棒１８が穴２１に挿してある状態で、マスク容器１にお湯を入れ、薬剤ＡとＢを入れて炭酸温水を生成し、その状態で、先に記述したようにパッキン６の端部１５に顎を押し当てたまま、マスク容器を立てて行き支え棒１８を穴２０に挿して固定することにより、手を離してもマスク容器１の位置が保たれて、炭酸温水による顔の温浴を続けられる。【００３７】  また、パッキン６に設けられた穴２から炭酸温水がこぼれたり、マスク容器１から顔を外す際に炭酸温水がこぼれても良いように、フレーム１７の内側には、容器２２が設けられている。【００３８】  図８および図９はマスク容器の別の形態を示す。マスク容器２４は楕円球体を半分に切ったような形状をしており、端部は楕円になっている。中は中空になっており、その淵に前述同様にパッキン６が液蜜に装着されている。そして、パッキン６の上部には空気抜きのための穴２が設けられている。【００３９】  マスク容器１には図９に示すように、マウスピース２３が液蜜に装着されており、マウスピース３と同様に、内部は筒状に穴が開いており、マスク容器２４に液蜜に接合されている。マウスピース２３は蛇腹のような形状を有しており、マスク容器の接合面に対してほぼ直角に伸縮する構造となっている。【００４０】  図では、マウスピース２３を用いているが、もちろんマウスピース３を用いても良いし、マスク容器１に対してマウスピース２３を用いても良い。【００４１】  次に、本発明のマスク容器を用いた、さらに効果が期待できる美容方法を説明する。図５に示すように、マスク容器１に温水１３を入れ、薬剤Ａ（炭酸水素ナトリウム）をあらかじめ決められた量（濃度が５００〜２０００ｐｐｍになる量）だけ入れる。これにより、美人の湯として知られる重曹泉、これと同じ角質除去作用を持つ弱アルカリ性のお湯ができる。【００４２】  このお湯だけがマスク容器１に入っている状態で、前述のようにマスク容器を顔に装着して、少なくとも３分以上顔を重曹のお湯に浸ける。重曹泉は肌の古くなった角質を取り除く効果があることは知られており、美肌の湯などと呼ばれている。この重曹を溶かしたお湯は、重層泉と同じように角質を取り除いてくれる。【００４３】  次にマスク容器を外して、タオルや化粧などで使うコットンなどで顔をしっかりふき取り、残った角質や汚れを取り除く。【００４４】  そして、先ほど顔を浸けた重曹の溶けたお湯に薬剤Ｂ（クエン酸、アスコルビン酸、リンゴ酸、フマル酸、コハク酸等の少なくとも１つ又は複数を組み合わせた薬剤）を入れると、高濃度の炭酸泉が出来上がるので、再びマスク容器１を顔に装着して、今度は高濃度の炭酸温水を顔に接触させる。そしてこの状態を少なくとも３分以上、望ましくは１０分以上保つ。【００４５】  この方法の効果を説明すると、まず最初に重曹のお湯で古い角質や汚れを取り除いて、顔の表面に新しい肌を出し、その新しい肌に高濃度の炭酸泉を接触させることにより、より炭酸ガスの吸収を促進させ、毛細血管の血流を増加させると共に、炭酸温水に溶かした他の成分をより効率的に肌に染み込ませて、肌の改善を内側から促進させることができるのである。
つまり、美肌の湯と呼ばれる重曹泉と、健康の湯といわれる炭酸泉の効果を合わせた、どこの国でも試みられたことのない新しい美容法である。【００４６】  もちろん、重曹のお湯に顔を浸したのちに、お湯を入れ替えて、改めて薬剤ＡとＢをお湯に入れて炭酸温水を作ったり、機械で作った炭酸温水を入れても良い。
【発明の効果】
【００４７】  従来の美容方ではなかった顔浴を、高濃度炭酸温水を使って行う事により、炭酸ガスが肌表面から皮下の毛細血管に入り、これにより毛細血管の血流を促し新陳代謝を活発にすることが出来る。新陳代謝が活発になると皮下の老廃物の除去と肌細胞への水分や栄養の補給が活発になり、肌本来の美しさを取り戻すことが出来る。また、高濃度炭酸温水による顔浴を続けることにより毛細血管が肌に向かって発達し、恒久的に肌を若返らせることができる。
【００４８】  本発明により手軽に高濃度炭酸温水による顔浴が出来るようになり、毎日続けることが可能になる。また、屈んだ苦しい体形ではなくほぼ前を向いた楽な状態でできるため、高濃度炭酸温水による顔浴を少なくとも３分以上、望ましくは１０分以上連続して行う事ができるようになる。
【００４９】  また、高濃度炭酸温水だけではなく、付加的にビタミンＣ誘導体やアミノ酸などを混ぜることによりさらに効果を上げることが期待できる。
【００５０】  さらに、重曹を溶かしたお湯で古い角質や汚れを除去してから、高濃度炭酸温水で顔浴をおこなうことにより、さらに効果をあげることができ、女性の永遠の願望である「いつまでも若々しくいたい」という願いを本質的な肌の改善として実現できる。
【図面の簡単な説明】
【００５１】
【図１】  本発明の実施例における装着状態の側面図を示す
【図２】  本発明の実施例における装着状態の詳細を示す
【図３】  マスク容器の外観図を示す
【図４】  マウスピースの外観図を示す
【図５】  薬剤Ａを入れる状態を示す
【図６】  薬剤Ｂを入れる状態を示す
【図７】  本発明の実施例における別の装着状態の側面図を示す
【図８】  マスク容器の別の形態を示す
【図９】  本発明の実施例におけるさらに別の装着状態の側面図を示す
【符号の説明】
【００５２】  １  マスク容器  、  ２  穴  、  ３  マウスピース
４  折り返し部  、  ５  突起部  、  ６  パッキン  ７  端部
８  突起  、９  連通口  、  １０  淵  、  １１  開口部
１２  支点  、  １３  温水  、  １４  重炭酸ナトリウム温水
１５  端部  、  １６  支え具  、  １７  フレーム  １８  支え棒
１９  支点  、  ２０  穴  、  ２１  穴  、  ２２  容器
２３  蛇腹  、  ２４  マスク容器  、  ２７  接顔部
【図１】
2009213849.tif 000003
【図２】
2009213849.tif 000004
【図３】
2009213849.tif 000005
【図４】
2009213849.tif 000006
【図５】
2009213849.tif 000007
【図６】
2009213849.tif 000008
【図７】
2009213849.tif 000009
【図８】
2009213849.tif 000010
【図９】
2009213849.tif 000011